(57)【特許請求の範囲】
【請求項１】
本体前面に露出したハンドルの回転を、カム体によりハンドルの軸方向の変位に変換して操作プレートに伝達し、操作プレートを介して本体背面に配置したスイッチを操作するセレクタスイッチにおいて、
本体を前面側に大径の鍔部を有し背面側に小径の軸部を有する中空筒状に構成し、本体の内周面に突出片を形成するとともに、この突出片の一部に切欠部を形成し、
本体前面から本体内に収納されるハンドルの背面に本体の軸部内に挿入される軸部を形成し、
ハンドルの軸部の外周面に前記切欠部を軸方向に貫通して前記突出片の背面側に位置する突起であって円周方向の幅が前記切欠部に略等しい突起を形成し、
ハンドルの軸部に背面側から嵌合するカム体の外周面に前記突起に対して円周方向の両側に連続する突出部を形成し、
ハンドルの軸部とカム体とにハンドル及びカム体を分離不能に結合する係合部を形成したことを特徴とするセレクタスイッチ。
【請求項２】
本体前面に露出したハンドルによって操作カムを回転し、ハンドル内を貫通する押ボタンによって操作カムを軸方向に変位し、操作カムに対向する操作プレートを介して本体背面に配置したスイッチを操作するセレクタ押ボタンスイッチにおいて、
本体を前面側に大径の鍔部を有し背面側に小径の軸部を有する中空筒状に構成し、本体の内周面に前面に開放した軸方向の溝部と、この軸方向の溝部に連続する円周方向の溝部と、を形成し、
本体前面から本体内に収納されるハンドルの軸部の外周面に、前記溝部に嵌入する突起を形成し、
ハンドルの軸部が前面側から貫通するとともに、前記本体の前面側に外嵌する円筒状のキャップを設け、このキャップの内周面に、前記突起が貫通する切欠と前記本体の軸方向の溝部の前面側を閉塞する突出部とを有する突出片を形成し、
本体の外周面とキャップの内周面とに本体及びキャップを分離不能に結合する係合部を形成したことを特徴とするセレクタ押ボタンスイッチ。
【発明の詳細な説明】
【０００１】
【発明の属する技術分野】
この発明は、ハンドルの回転操作により内部のスイッチの接点部を動作させるセレクタスイッチ、及び、ハンドルの回転操作により選択された動作状態で内部のスイッチの接点部の動作状態を選択するとともに、押ボタンの押圧操作によりスイッチの接点部を動作させるセレクタ押ボタンスイッチに関する。
【０００２】
【従来の技術】
操作パネルに取り付けられる操作スイッチとして、ハンドルの回転操作により内部のスイッチの接点部を動作させるセレクタスイッチや、ハンドルの回転操作により選択された動作状態で内部のスイッチの接点部の動作状態を選択するとともに、押ボタンの押圧操作によりスイッチの接点部を動作させるセレクタ押ボタンスイッチがある。このようにハンドルを回転操作するスイッチでは、本体を操作パネルに確実に取り付けるとともに、スイッチの故障時や機能の変更時等を考慮して本体を操作パネルから取り外すことができるように構成する必要がある。そこで従来のハンドルを回転操作するセレクタ押ボタンスイッチとしては、図５に示すように、操作パネル５１に形成された取付孔５２にスイッチの本体６１を背面側から貫通させ、操作パネル５１を調整リング６２と取付キャップ６３との間に挟持した状態で、本体６１の前面側に露出したバネ受け６９にハンドル６４を取り付けるようにしたものがあった。このセレクタ押ボタンスイッチでは、ハンドル６４の回転に伴って操作軸６５及び操作カム６６も回転し、押ボタン６７の押圧に伴う操作軸６５及び操作カム６６の軸方向の変位により、操作カム６６の回転位置に応じた状態で押圧板６８が図外のスイッチの接点部を動作させる。
【０００３】
前述のようにハンドル６４は本体６１の前面に露出したバネ受け６９に取り付けられる。バネ受け６９の外周面には、操作軸６５の前面側に開放した軸方向の溝部及びこれに連続する円周方向の溝部が形成されており、ハンドル６４の内周面には、バネ受け６９の溝部に係合する突起が形成されている。さらに、バネ受け６９の外周面には、一端を開放した弾性片７０が形成されており、ハンドル６４の内周面には、ハンドル６４の突起がバネ受け６９の円周方向の溝部に係合した際にバネ受け６９の弾性片７０の一端が係合する凹部７１が形成されている。これらの構成により、ハンドル６４をバネ受け６９に取り付ける際には、ハンドル６４の突起がバネ受け６９の軸方向の溝部に対向する状態でハンドル６４をバネ受け６９に外嵌した後、ハンドル６４を回転させてハンドル６４の突起をバネ受け６９の円周方向の溝部内において移動させる。この状態でバネ受け６９の弾性片７０の一端がハンドル６４の凹部７１に係合することにより、ハンドル６４の逆方向への回転が規制され、バネ受け６９に対するハンドル６４の取付状態が維持される。
【０００４】
スイッチの故障時や機能の変更時等において、ハンドル６４をバネ受け６９から取り外す場合には、ハンドル６４の外周面に形成された孔部７２に工具を挿入して弾性片７０の一端を押圧し、弾性片７０の一端が凹部７１に係合しないようにしてハンドル６４の逆方向の回転の規制を解除する。この工具による弾性片７０の押圧状態を維持したままでハンドル６４を逆方向に回転することにより、突起が円周方向の溝部から軸方向の溝部に移動し、ハンドル６４をバネ受け６９から引き抜くことができる。  このようにして、操作パネル５１の前面側において本体６１からハンドル６４を分離した後に取付キャップ６３と調整リング６２とによる操作パネル５１の挟持状態を解除し、操作パネル５１から本体６１を取り外す。
【０００５】
【発明が解決しようとする課題】
しかしながら、図５に示した従来のセレクタスイッチでは、操作パネルの取付孔に背面側から挿入された本体内の操作軸に対してハンドルを操作パネルの前面側から取り付けるようにしているため、スイッチを操作パネルから取り外す際をも考慮して、ユーザが操作パネルの前面側における操作によってハンドルを本体に対して比較的容易に着脱できる構造にしなければならず、ハンドルが不完全な状態で取り付けられることを確実に防止できず、スイッチが用いられる装置の安全性を確保できない問題があった。また、操作軸の他に押圧板や操作カムを含む多数の部品を本体内に収納する必要があり、組立作業が煩雑化するとともに、コストの上昇を招く問題があった。
【０００６】
この発明の目的は、操作パネルの取付孔に前面側から挿入される本体に対してハンドルを分離できない状態で確実かつ容易に取り付けることにより、本体とハンドルとを分離することなく操作パネルから本体を取り外すことができるようにし、スイッチが用いられる装置の安全性を確保することができるとともに、本体内に収納される部品点数を削減して組立作業の容易化、及び、コストの削減を実現できるセレクタスイッチ及びセレクタ押ボタンスイッチを提供することにある。
【０００７】
【課題を解決するための手段】
請求項１に記載した発明は、本体を前面側に大径の鍔部を有し背面側に小径の軸部を有する中空筒状に構成し、本体の内周面に突出片を形成するとともに、この突出片の一部に切欠部を形成し、本体前面から本体内に収納されるハンドルの背面に本体の軸部内に挿入される軸部を形成し、ハンドルの軸部の外周面に前記切欠部を軸方向に貫通して前記突出片の背面側に位置する突起であって円周方向の幅が前記切欠部に略等しい突起を形成し、ハンドルの軸部に背面側から嵌合するカム体の外周面に前記突起に対して円周方向の両側に連続する突出部を形成し、ハンドルの軸部とカム体とにハンドル及びカム体を分離不能に結合する係合部を形成したことを特徴とする。
【０００８】
請求項１に記載した発明において、本体を操作パネルに取り付ける際には、操作パネルの取付孔に本体の軸部を前面側から挿入する。セレクタスイッチを組み立てる際には、ハンドルの突起が本体の切欠部に対向する状態でハンドルの軸部を前面側から本体の内部に挿入した後、本体の背面側からハンドルの軸部にカム体を嵌合させると、係合部においてハンドルとカム体とが一体不可分に結合される。このとき、ハンドルの突起の円周方向の両側にカム体の突出部が連続し、ハンドルの突起が本体の切欠に対向する状態においてもカム体の突出部が本体の突出片に当接する。この突出片に対する突出部の当接により、ハンドルを本体から前面方向に引き抜くことはできず、本体に対するハンドルの取付状態が堅牢に維持される。また、この発明は、スイッチを操作する操作プレートに当接するカム体がハンドルの軸部に一体的に取り付けられる構成であるため、従来の操作軸が不要になり、本体内に収納すべき部品点数が減少する。
【０００９】
請求項２に記載した発明は、本体を前面側に大径の鍔部を有し背面側に小径の軸部を有する中空筒状に構成し、本体の内周面に前面に開放した軸方向の溝部と、この軸方向の溝部に連続する円周方向の溝部と、を形成し、本体前面から本体内に収納されるハンドルの軸部の外周面に、前記溝部に嵌入する突起を形成し、ハンドルの軸部が前面側から貫通するとともに、前記本体の前面側に外嵌する円筒状のキャップを設け、このキャップの内周面に、前記突起が貫通する切欠と前記本体の軸方向の溝部の前面側を閉塞する突出部とを有する突出片を形成し、本体の外周面とキャップの内周面とに本体及びキャップを分離不能に結合する係合部を形成したことを特徴とする。
【００１０】
請求項２に記載した発明において、本体を操作パネルに取り付ける際には、操作パネルの取付孔に本体の軸部を前面側から挿入する。セレクタ押ボタンスイッチを組み立てる際には、ハンドルの突起をキャップの切欠に貫通させた状態で、このハンドルの突起を本体の軸方向の溝部に対向させてハンドルの軸部を本体内に前面側から挿入した後、ハンドルを回転させて突起を本体の円周方向の溝部内に位置させる。この状態から、キャップの突出部を本体の軸方向の溝部に対向させた状態で本体の係合部とキャップの係合部とを係合させる。これによって、キャップは、本体の軸方向の溝部を突出部によって閉塞した状態で本体と一体不可分に結合されるため、キャップの突出部による軸方向の溝部の閉塞状態を解除することはできない。したがって、本体の円周方向の溝部に位置するハンドルの突起を軸方向の溝部内に移動させることはできず、ハンドルを本体から分離できなくなる。
【００１１】
【発明の実施の態様】
図１は、請求項１に記載した発明の実施形態の一例であるセレクタスイッチの構成を示す図であり、同図（Ａ）及び（Ｂ）はセレクタスイッチのそれぞれ側面断面図及び平面断面図である。セレクタスイッチ１１の本体２は、中空筒体に形成され、背面側の軸部２ａとこの軸部２ａより大径の前面側の鍔部２ｂとから構成されている。本体２の軸部２ａの外周面にはネジ部２ｃが形成されている。このネジ部２ｃにはロックナット６が螺合する。また、鍔部２ｂの背面側には、ワッシャ５が当接する。このセレクタスイッチ１１を操作パネル５１に取り付ける際には、本体２の軸部２ａを操作パネル５１の前面側から取付孔５２に挿入し、ワッシャ５及びロックナット６との間に操作パネル５１を位置させ、ロックナット６を締付けることにより、ワッシャ５及びロックナット６とで取付孔５２の周縁部を挟持する。
【００１２】
本体２は、内部にハンドル１の軸部１ａ、ノッチホルダ３、カム４及び操作プレート７を収納する。ハンドル１は軸部１ａと摘み部１ｂとからなり、軸部１ａと摘み部１ｂとの中間部にパッキン９が装着されている。パッキン９は、ハンドル１と本体２との間の水密状態を保ち、操作パネル５１の前面側から本体２の内部に塵埃や水分が侵入しないようにしている。このハンドル１の軸部１ａの背面側の端部にカム４が嵌合する。
【００１３】
ハンドル１の軸部１ａの外周面の２箇所には凹部１ｃが形成されており、カム４の内周面の２箇所には凸部４ａが形成されている。ハンドル１の軸１ａにカム４が外嵌すると、カム４の凸部４ａが軸部１ａの凹部１ｃに嵌入する。このとき、凸部４ａ及び凹部１ｃの背面側の垂直面が当接することにより、軸部１ａからカム４を背面側に引き抜くことができず、ハンドル１に対するカム４の嵌合状態が維持される。即ち、凸部４ａ及び凹部１ｃが、ハンドル１とカム４とを分離不能に結合する係合部であり、ハンドル１とカム４とが一体不可分にされる。
【００１４】
ハンドル１の軸部１ａの外径は、本体２の突出片２ｄの内径に略等しくされており、ハンドル１は突出片２ｄにおいて回転自在に支持されている。カム４の外周面には後述するノッチ用カム山４ｃとともにカム山４ｂが形成されており、このカム山４ｂに２本の操作プレート７が対向している。ハンドル１の回転操作に伴ってカム４も回転し、操作プレート７に対向するカム山４ｂの形状が変化する。操作プレート７は、本体２の背面に取り付けられる図外のスイッチの可動接点に当接しており、この可動接点の復帰力により本体２の前面側に付勢されている。したがって、操作プレート７はカム４のカム山４ｂに常に当接し、カム４が回転してカム山４ｂの形状が変化することにより、カム山４ｂと操作プレート７との当接位置が軸方向に変位し、操作プレート７は、カム山４ｂの形状の変化に追従して、軸方向に移動する。
【００１５】
ノッチホルダ３は、ノッチプレート８及びノッチバネ１０を収納する。ノッチプレート８は、カム４に形成されたノッチ用カム山４ｃに対向する位置において、ノッチバネ１０の弾性力により本体２の前面側に付勢されており、ノッチプレート８はノッチバネ１０の弾性力によりノッチ用カム山４ｃを押圧している。このノッチプレート８の押圧力は、ハンドル１の回転操作に伴うカム４の回転によってノッチ用カム山４ｃの形状が変化する際にカム４及びハンドル１に抵抗力として作用し、ハンドル１の回転操作にノッチ感を与える。
【００１６】
図２は、上記セレクタスイッチの要部の組立図である。上述のセレクタスイッチ１１において、本体２の突出片２ｄには、ハンドル１の突起１ｄに対向する切欠２ｅが形成されている。この切欠２ｅの円周方向の幅は、突起１ｄの円周方向の幅に略等しくされている。セレクタスイッチ１１を組み立てる際には、先ず、ハンドル１に形成された突起１ｄを本体２の内部の突出片２ｄに形成された切欠２ｅに対向させた状態で、ハンドル１の軸部１ａを前面側から本体２の内部に挿入する。これによって、ハンドル１の突起１ｄは、突出片２ｄの背面側に位置する。この状態から、カム４を本体２の背面側から本体２の内部に挿入し、本体２の内部においてカム４をハンドル１の軸部１ａに外嵌する。このとき、前述のように、ハンドル１の軸部１ａの外周面の２箇所に形成された凹部１ｃに、カム４の内周面の２箇所に形成された凸部４ａが嵌入し、ハンドル１とカム４とが分離不能に結合される。
【００１７】
カム４の前面側の端部には、ハンドル１の突起１ｄが嵌入する溝部４ｄが形成されており、カム４の外周面において溝部４ｄの両側には、突出部４ｅが形成されている。この突出部４ｅは、溝部４ｄに嵌入した突起１ｄの両側に連続する。したがって、ハンドル１とカム４とが分離不能に結合されると、カム４の突出部４ｅがハンドル１の突起１ｄの円周方向の両側に一体的に連続し、突起１ｄの円周方向の幅は、突出部４ｅによって拡大することになる。このため、突起１ｄを本体２の突出片２ｄの切欠２ｅに対向させた状態でも、突起１ｄの両側に位置する突出部４ｅが突出片２ｄの背面側に当接し、ハンドル１を本体２の前面側に引き抜くことはできない。
【００１８】
このように、本体２の内部においてハンドル１にカム４を分離不能に結合させることにより、本体２からハンドル１が取り外されることを確実に防止することができる。また、スイッチの接点を動作させる操作プレート７をハンドル１に結合したカム４により移動させる構成であるため、操作軸を備える必要がなく、部品点数を削減することができる。
【００１９】
図３は、請求項２に記載した発明の実施形態の一例を示すセレクタ押ボタンスイッチの構成を示す図であり、同図（Ａ）及び（Ｂ）はセレクタ押ボタンスイッチのそれぞれ側面断面図及び平面断面図である。セレクタ押ボタンスイッチ４１の本体２２は、中空筒体に形成され、軸部２２ａとこの軸部２２ａより大径の鍔部２２ｂとから構成されている。鍔部２２ｂは、本体２２の前面側において軸部２２ａの外側に間隙を設けて形成されている。本体２２の軸部２２ａの外周面にはネジ部２２ｃが形成されている。このネジ部２２ｃにはロックナット３２が螺合している。また、鍔部２２ｂの背面側には、ワッシャ３１が当接する。この本体２２は、軸部２２ａを操作パネル５１の前面側から取付孔５２に挿入され、ロックナット３２が締付けられることによりワッシャ３１及びロックナット３２とで取付孔５２の周縁部を挟持した状態で操作パネル５１に取り付けられる。
【００２０】
本体２２は、内部にハンドル２１の軸部２１ａ、ホルダ２３、操作軸２４、ノッチ板２５、操作カム２６、操作プレート２８及びノッチバネ２９を収納する。また、本体２２の鍔部２２ｂには、キャップ２７が外嵌する。ハンドル２１は、軸部２１ａと摘み部２１ｂとからなり、平ボタン３３を装着した操作軸２４及び操作バネ３０を収納する。このハンドル２１は、軸部２１ａにおいて本体２２の鍔部２２ｂの内周面に回転自在に支持されている。
【００２１】
操作軸２４は、後述する係合部材によりハンドル２１に対して、円周方向に一体にされるとともに、軸方向に摺動自在に保持されており、ハンドル２１内に収納された操作バネ３０の弾性力により前面側に付勢されている。また、操作軸２４は、本体２２の軸部２２ａの内周面内においてパッキン３４を介して回転自在かつ軸方向に移動自在に支持されている。
【００２２】
ハンドル２１の軸部２１ａの背面側の端部にはノッチ用カム山２１ｃが形成されており、このノッチ用カム山２１ｃは、本体２２内に収納されたノッチ板２５に対向している。ノッチ板２５は、ノッチバネ２９により前面側に付勢されている。したがって、ノッチ板２５は、ノッチバネ２９の弾性力によりノッチ用カム山２１ｃを押圧している。このノッチ板２９の押圧力は、ハンドル２１の回転操作に伴いノッチ用カム山２１ｃの形状が変化する際に、ハンドル２１に抵抗力として作用し、ハンドル２１の回転操作にノッチ感を与える。
【００２３】
操作軸２４の背面側の外周面には、操作カム２６が外嵌している。この操作カム２６の内周面には、突起２６ａが形成されている。突起２６ａは、操作軸２４において背面側の端部に開放した溝部２４ａに係合する。突起２６ａが溝部２４ａに軸方向に摺動自在に係合することにより、操作カム２６は操作軸２４とともに回転するが、操作軸２４は操作カム２６とは独立して軸方向に移動する。
【００２４】
操作カム２６の外周面の背面側にはカム山２６ｂが形成されている。一方、本体２２の内部の背面側の端部近傍に固定されたホルダ２３は、図外のスイッチの接点部を動作させる操作プレート２８を軸方向に移動自在にして保持する。この操作プレート２８の前面側の端部に操作カム２６のカム山２６ｂが当接する。また、操作プレート２８の内側面には突起２８ａが形成されており、この突起２８ａに操作軸２４の背面側の端部が対向する。
【００２５】
ハンドル２１の摘み部２１ｂを回転操作すると、操作軸２４とともに操作カム２６が回転し、操作プレート２８に当接するカム山２６ｂの形状が変化する。このカム山２６ｂの形状の変化により、カム山２６ｂと操作プレート２８との当接位置が軸方向に変位し、操作プレート２８は、カム山２６ｂの形状の変化に追従して、軸方向に移動する。
【００２６】
ハンドル２１の前面側に露出した平ボタン３３を押圧操作すると、操作バネ３０の弾性力に抗して操作軸２４が背面側に軸方向に移動し、操作軸２４の背面側の端部が操作プレート２８の突起２８ａに当接して操作プレート２８を背面側に移動させる。この操作軸２４の軸方向の移動は操作カム２６には伝達されないため、操作カム２６のカム山２６ｂ及び操作軸２４の背面側の端部の形状を適宜選択定に組み合わせることにより、ハンドル２１の回転操作及び平ボタン３３の押圧操作による操作プレート２８の動作状態が種々変化し、セレクタ押ボタンスイッチが適用される装置の仕様に合わせてスイッチの接点状態を変更することができる。
【００２７】
図４は、上記セレクタ押ボタンスイッチの要部の組立図である。上述のように構成したセレクタ押ボタンスイッチ４１において、本体２２の鍔部２２ｂには、前面側に開放した軸方向の溝部２２ｄと、この溝部２２ｄに連続する円周方向の溝部２２ｅと、が２か所に形成されている。また、本体２２の鍔部２２ｂの外周面の２か所には、凸部２２ｆが形成されている。一方、キャップ２７の内周面には、突出片２７ａが形成されており、この突出片２７ａには半径方向の切欠２７ｂ及び背面方向に突出した突出部２７ｃがそれぞれ２か所に形成されている。また、キャップ２７の内周面の２か所には、凹部２７ｄが形成されている。
【００２８】
このセレクタ押ボタンスイッチ４１を組み立てる際には、キャップ２７に嵌入したハンドル２１の軸部２１ａを本体２２の軸部２２ａと鍔部２２ｂとの間隙に挿入する。このとき、先ず、ハンドル２１の２か所に形成された突起２１ｄをキャップ２７の切欠２７ｂに対向させた状態でハンドル２１の軸部２１ａをキャップ２７に挿入し、この後、ハンドル２１をキャップ２７に対して円周方向に回転させることにより、ハンドル２１はキャップ２７に対して遊嵌状態となる。次いで、突起２１ｄを本体２２の鍔部２２ｂに形成さた軸方向の溝部２２ｄに対向させた状態で、キャップ２７に遊嵌したハンドル２１の軸部２１ａを、ノッチ板２５を介して作用するノッチバネ２９の弾性力に抗して本体２２の軸部２２ａと鍔部２２ｂとの間隙に挿入する。さらに、ハンドル２１を円周方向に回転操作して、突起２１ｄを円周方向の溝部２２ｅ内に移動させる。
【００２９】
次に、突出部２７ｃを本体２２の軸方向の溝部２２ｄに対向させた状態でキャップ２７を本体２２の鍔部２２ｂに外嵌する。このとき、キャップ２７の内周面に形成された凹部２７ｄは、本体２２の鍔部２２ｂの外周面に形成された凸部２２ｆに対向し、突出部２７ｃが溝部２２ｄ内に嵌入して溝部２２ｄを閉塞した時に、凸部２２ｆが凹部２７ｄに嵌入する。凸部２２ｆの前面側の垂直面は凹部２７ｄの前面側の垂直面と当接することにより、キャップ２７は本体２２に分離不能に結合され、キャップ２７を本体２２から前面側に取り外すことはできず、突出部２７ｃによる溝部２２ｄの閉塞状態が確実に維持される。即ち、本体２２の鍔部２２ｂの外周面に形成された凸部２２ｆとキャップ２７の内周面に形成された凹部２７ｄとがこの発明の係合部に相当する。
【００３０】
したがって、ハンドル２１を円周方向に回転させても、突起２１ｄを軸方向の溝部２２ｄ内に移動させることはできず、ハンドル２１は突起２１ｄが円周方向の溝部２２ｅ内を移動する範囲で円周方向に回転させることができるだけで、本体２２からハンドル２１を取り外すことはできない。
【００３１】
このように、本体２２に分離不能に結合したキャップ２７を介して、本体２２からハンドル２１が取り外されることを確実に防止することができる。また、操作軸２４の背面側の端部によりスイッチの接点を動作させる操作プレート２８を移動させる構成であるため、押圧板を備える必要がなく、部品点数を削減することができる。さらに、ノッチ板２５を操作カム２６とは別体に構成したため、操作カム２６による操作プレート２８の移動を必要とない使用態様では、操作カム２６を省略することができ、使用態様に合わせて準備すべき操作カムの種類を削減することができる。
【００３２】
【発明の効果】
請求項１に記載した発明によれば、本体に前面側から挿入したハンドルに本体の背面側から挿入したカム体を一体不可分に結合させると、ハンドルの突起の円周方向の両側にカム体の突出部が連続し、ハンドルの突起が本体の切欠に対向する状態においてもカム体の突出部が本体の突出片に当接することにより、ハンドルを本体から前面方向に引き抜くことはできず、本体に対するハンドルの取付状態を堅牢に維持することができ、操作パネルに対する本体の着脱時に本体とハンドルとを分離する必要がなく、スイッチが用いられる装置の安全性を確保することができる。また、スイッチを操作する操作プレートに当接するカム体がハンドルの軸部に一体的に取り付けるようにしているため、従来の操作軸が不要になり、本体内に収納すべき部品点数を削減して組立作業の容易化、及び、コストの削減を実現できる。
【００３３】
請求項２に記載した発明によれば、本体と一体不可分に結合されるキャップを用いて本体の軸方向の溝部を閉塞し、本体の円周方向の溝部に位置するハンドルの突起が軸方向の溝部内に移動できないようにすることにより、本体に対するハンドルの取付状態を堅牢に維持することができ、操作パネルに対する本体の着脱時に本体とハンドルとを分離する必要がなく、スイッチが用いられる装置の安全性を確保することができる。また、操作軸の背面側の端部によりスイッチの接点を動作させる操作プレートを移動させる構成としたため、押圧板を備える必要がなく、部品点数を削減することができる。さらに、ノッチ板を操作カムとは別体に構成したため、操作カムによる操作プレートの移動を必要とない使用態様では、操作カムを省略することができ、使用態様に合わせて準備すべき操作カムの種類を削減することができる。
【図面の簡単な説明】
【図１】請求項１に記載した発明の実施形態の一例であるセレクタスイッチの構成を示す側面断面図及び平面断面図である。
【図２】上記セレクタスイッチの要部の組立図である。
【図３】請求項２に記載した発明の実施形態の一例を示すセレクタ押ボタンスイッチの構成を示す側面断面図及び平面断面図である。
【図４】上記セレクタ押ボタンスイッチの要部の組立図である。
【図５】従来のセレクタ押ボタンスイッチを示す側面断面図及び正面の部分破断図である。
【符号の説明】
１，２１−ハンドル
１ａ，２１ａ−ハンドルの軸部
１ｂ，２１ｂ−摘み部
１ｃ，２７ｄ−凹部（係合部）
１ｄ，２１ｄ−突起
２，２２−本体
２ａ，２２ａ−本体の軸部
２ｂ，２２ｂ−鍔部
２ｄ−突出片
２ｅ−切欠
４−カム
４ａ，２２ｆ−凸部（係合部）
４ｅ−突出部
７，２８−操作プレート
１１−セレクタスイッチ
２４−操作軸
２６−操作カム
２７−キャップ
３３−平ボタン
４１−セレクタ押ボタンスイッチ
【図１】
0003841467.tif 000002
【図２】
0003841467.tif 000003
【図３】
0003841467.tif 000004
【図４】
0003841467.tif 000005
【図５】
0003841467.tif 000006